【手続補正書】
【提出日】平成30年10月26日(2018.10.26)
【手続補正１】
【補正対象書類名】明細書
【補正対象項目名】００５４
【補正方法】変更
【補正の内容】
【００５４】
当業者には、特許請求される主題の趣旨及び範囲から逸脱することなく、本明細書で説明される実施形態に種々の修正及び変更を行うことができることが明らかになるはずである。したがって、そのような修正及び変更が添付の特許請求の範囲及びそれらの等価物の範囲内に入る限り、本明細書は、本明細書で説明される種々の実施形態の修正及び変更を対象とすることが意図される。
以下、本発明の好ましい実施形態を項分け記載する。
実施形態１
天然ガスを分析するためのガスクロマトグラフィ方法であって、
冷却機を通して前記天然ガスを運ぶ工程と、
前記天然ガスを前記冷却機から、それぞれ、改質された天然ガスの第１のカット分、改質された天然ガスの第２のカット分、及び改質された天然ガスの第３のカット分を提供するように配置された少なくとも３つの改質された生成物流出口をそれぞれ備える、少なくとも２つのガス改質膜に運ぶ工程と、
少なくとも１つの上流ガスクロマトグラフと、第１の下流ガスクロマトグラフ及び第２の下流ガスクロマトグラフを含む少なくとも２つの下流ガスクロマトグラフと、を備えるガスクロマトグラフィシステムを動作させる工程であって、
前記少なくとも１つの上流ガスクロマトグラフ、前記第１の下流ガスクロマトグラフ、及び前記第２の下流ガスクロマトグラフが全て、同時に動作し、
前記少なくとも１つの上流ガスクロマトグラフ、前記第１の下流ガスクロマトグラフ、及び前記第２の下流ガスクロマトグラフが全て、同じ検定給送物を使用して検定され、
前記少なくとも１つの上流ガスクロマトグラフ、前記第１の下流ガスクロマトグラフ、及び前記第２の下流ガスクロマトグラフが全て、天然ガスの試料を加熱するために同じ加熱炉を利用する、動作させる工程と、
天然ガスの試料を前記ガスクロマトグラフィシステムに運ぶ工程であって、
前記冷却機を出る前記天然ガスの試料、前記少なくとも２つのガス改質膜の第１の膜に入る前記天然ガスの試料、前記少なくとも２つのガス改質膜の第２の膜に入る前記天然ガスの試料が、前記少なくとも１つの上流ガスクロマトグラフに運ばれ、
前記改質された生成物流出口のそれぞれを出る前記改質された天然ガスの試料が、前記少なくとも２つの下流ガスクロマトグラフに運ばれる、運ぶ工程と、
前記天然ガスの改質を判断するためにコントローラを用いて、前記冷却機を出る前記天然ガスの前記試料、前記少なくとも２つのガス改質膜の第１の膜に入る前記天然ガスの前記試料、前記少なくとも２つのガス改質膜の第２の膜に入る前記天然ガスの前記試料、及び前記生成物流出口のそれぞれを出る前記改質された天然ガスの前記試料の組成を監視する工程と、
を含む、方法。
実施形態２
前記改質された天然ガスの第１のカット分を提供するように配置された前記生成物流出口を出る前記改質された天然ガスの前記試料が、前記第１の下流ガスクロマトグラフに運ばれる、実施形態１に記載の方法。
実施形態３
前記第１の膜から前記改質された天然ガスの第２のカット分を提供するように配置された前記生成物流出口を出る前記改質された天然ガスの前記試料が、前記第１の下流ガスクロマトグラフに運ばれ、前記第２の膜から前記改質された天然ガスの第２のカット分を提供するように配置された前記生成物流出口を出る前記改質された天然ガスの前記試料が、前記第２の下流ガスクロマトグラフに運ばれる、実施形態１に記載の方法。
実施形態４
前記改質された天然ガスの第３のカット分を提供するように配置された前記生成物流出口から出る前記改質された天然ガスの前記試料が、前記第２の下流ガスクロマトグラフに運ばれる、実施形態１に記載の方法。
実施形態５
天然ガスを分析するためのガスクロマトグラフィ方法であって、
冷却機を通して前記天然ガスを運ぶ工程と、
前記天然ガスを前記冷却機から、それぞれ、改質された天然ガスの第１のカット分、改質された天然ガスの第２のカット分、及び改質された天然ガスの第３のカット分を提供するように配置された少なくとも３つの改質された生成物流出口をそれぞれ備える、少なくとも２つのガス改質膜に運ぶ工程と、
少なくとも１つの上流ガスクロマトグラフと、第１の下流ガスクロマトグラフ及び第２の下流ガスクロマトグラフを含む少なくとも２つの下流ガスクロマトグラフと、を備える、ガスクロマトグラフィシステムを動作させる工程であって、
前記少なくとも１つの上流ガスクロマトグラフ、前記第１の下流ガスクロマトグラフ、及び前記第２の下流ガスクロマトグラフが全て、同時に動作し、
前記少なくとも１つの上流ガスクロマトグラフ、前記第１の下流ガスクロマトグラフ、及び前記第２の下流ガスクロマトグラフが全て、同じ検定給送物を使用して検定され、
前記少なくとも１つの上流ガスクロマトグラフ、前記第１の下流ガスクロマトグラフ、及び前記第２の下流ガスクロマトグラフが全て、天然ガスの試料を加熱するために同じ加熱炉を利用する、動作させる工程と、
天然ガスの試料を前記ガスクロマトグラフィシステムに運ぶ工程であって、
前記冷却機に入る前記天然ガスの試料、前記少なくとも２つのガス改質膜の第１の膜に入る前記天然ガスの試料、及び前記少なくとも２つのガス改質膜の第２の膜に入る前記天然ガスの試料が、前記少なくとも１つの上流ガスクロマトグラフに運ばれ、
前記改質された生成物流出口のそれぞれを出る前記改質された天然ガスの試料が、前記少なくとも２つの下流ガスクロマトグラフに運ばれる、運ぶ工程と、
前記天然ガスの改質を判断するためにコントローラを用いて、前記冷却機に入る前記天然ガスの前記試料、前記少なくとも２つのガス改質膜の第１の膜に入る前記天然ガスの前記試料、前記少なくとも２つのガス改質膜の第２の膜に入る前記天然ガスの前記試料、及び前記生成物流出口のそれぞれを出る前記改質された天然ガスの前記試料の組成を監視する工程と、
を含む、方法。
実施形態６
前記改質された天然ガスの第１のカット分を提供するように配置された前記生成物流出口を出る前記改質された天然ガスの前記試料が、前記第１の下流ガスクロマトグラフに運ばれる、実施形態５に記載の方法。
実施形態７
前記第１の膜から前記改質された天然ガスの第２のカット分を提供するように配置された前記生成物流出口を出る前記改質された天然ガスの前記試料が、前記第１の下流ガスクロマトグラフに運ばれ、前記第２の膜から前記改質された天然ガスの第２のカット分を提供するように配置された前記生成物流出口を出る前記改質された天然ガスの前記試料が、前記第２の下流ガスクロマトグラフに運ばれる、実施形態５に記載の方法。
実施形態８
前記改質された天然ガスの第３のカット分を提供するように配置された前記生成物流出口を出る前記改質された天然ガスの前記試料が、前記第２の下流ガスクロマトグラフに運ばれる、実施形態５に記載の方法。
実施形態９
ガスクロマトグラフィシステム、冷却機、少なくとも２つのガス改質膜、及びコントローラを備える、天然ガス改質システムであって、
前記ガスクロマトグラフィシステムが、少なくとも１つの上流ガスクロマトグラフと、第１の下流ガスクロマトグラフ及び第２の下流ガスクロマトグラフを含む少なくとも２つの下流ガスクロマトグラフと、
を備え、
前記冷却機が、天然ガス供給給送物から重炭化水素を除去するように構成され、かつ前記少なくとも２つのガス改質膜に流体連結され、
前記少なくとも２つのガス改質膜が、前記天然ガスから不純物を除去するために選択的にある特定のガスが透過することを可能にするように構成され、かつ入口と、それぞれ、改質された天然ガスの第１のカット分、改質された天然ガスの第２のカット分、及び改質された天然ガスの第３のカット分を提供するように配置された少なくとも３つの生成物流出口と、をそれぞれ備え、
前記少なくとも１つの上流ガスクロマトグラフが、試料を前記少なくとも１つの上流ガスクロマトグラフに運ぶために、前記冷却機の出口、前記少なくとも２つのガス改質膜の第１の膜の前記入口、及び前記少なくとも２つのガス改質膜の第２の膜の前記入口に流体連結され、
前記生成物流出口のそれぞれが、試料を前記少なくとも２つの下流ガスクロマトグラフに運ぶために、前記少なくとも２つの下流ガスクロマトグラフのうちの少なくとも１つに流体連結され、
前記コントローラが、前記天然ガスの改質を判断するために、前記冷却機の前記出口、前記少なくとも２つのガス改質膜の前記第１の膜の前記入口、前記少なくとも２つのガス改質膜の前記第２の膜の前記入口からの前記天然ガスの前記試料、及び前記生成物流出口のそれぞれからの前記試料の組成を監視するように構成され、
前記少なくとも１つの上流ガスクロマトグラフ及び前記少なくとも２つの下流ガスクロマトグラフが、同時に動作するように構成され、かつ単一の検定ガス給送物によって検定され、単一の加熱炉または直列の加熱炉の組が、前記少なくとも１つの上流ガスクロマトグラフ及び前記少なくとも２つの下流ガスクロマトグラフ用に天然ガス試料を加熱するために提供される、天然ガス改質システム。
実施形態１０
前記重炭化水素が、Ｃ７以上である、実施形態９に記載の天然ガス改質システム。
実施形態１１
前記第１の膜の前記改質された天然ガスの第１のカット分を提供するように配置された前記生成物流出口と、前記第２の膜の前記改質された天然ガスの第１のカット分を提供するように配置された前記生成物流出口が、前記第１の下流ガスクロマトグラフに流体連結される、実施形態９に記載の天然ガス改質システム。
実施形態１２
前記第１の膜の前記改質された天然ガスの第２のカット分を提供するように配置された前記生成物流出口が、前記第１の下流ガスクロマトグラフに流体連結され、前記第２の膜の前記改質された天然ガスの第２のカット分を提供するように配置された前記生成物流出口が、前記第２の下流ガスクロマトグラフに流体連結される、実施形態９に記載の天然ガス改質システム。
実施形態１３
前記第１の膜の前記改質された天然ガスの第３のカット分を提供するように配置された前記生成物流出口、及び前記第２の膜の前記改質された天然ガスの第３のカット分を提供するように配置された前記生成物流出口が、前記第２の下流ガスクロマトグラフに流体連結される、実施形態９に記載の天然ガス改質システム。
実施形態１４
前記コントローラが、前記天然ガス供給給送物が前記冷却機に提供される速度を制御可能に調整するように構成された流量調節器に結合される、実施形態９に記載の天然ガス改質システム。
実施形態１５
前記コントローラが、前記冷却機の前記動作温度を調整するために前記冷却機に結合される、実施形態９に記載の天然ガス改質システム。
実施形態１６
前記コントローラが、前記ガスクロマトグラフィシステムによって出力されるプロセス動作パラメータを提供するように構成されたグラフィカルディスプレイに結合される、実施形態９に記載の天然ガス改質システム。
実施形態１７
前記２つのガス改質膜が、前記天然ガス供給給送物から窒素及び酸性ガスを選択的に除去するように構成される、実施形態９に記載の天然ガス改質システム。